(57)【特許請求の範囲】
【請求項１】
複数の綜絖（５Ａ、５Ｂ）にそれぞれ、上半部に長孔（１０）を穿設した表たて糸ヘルド（６ａ）と、下半部に長孔（１０）を穿設した裏たて糸ヘルド（６ｂ）とを設け、表たて糸ヘルド（６ａ）の長孔（１０）に表たて糸（１ａ）を裏たて糸ヘルド（６ｂ）の長孔（１０）に裏たて糸（１ｂ）をそれぞれ挿通し、当該複数の綜絖（５Ａ、５Ｂ）を所定の順序で上下動せしめることにより、上動した綜絖（５）の表たて糸ヘルド（６ａ）がそれに挿通された表たて糸（１ａ）を上動せしめると共に、当該綜絖（５）の裏たて糸ヘルド（６ｂ）に挿通された裏たて糸（１ｂ）を前記長孔（１０）の中間位置で中立に保持し、下動した綜絖（５）の裏たて糸ヘルド（６ｂ）がそれに挿通された裏たて糸（１ｂ）を下動せしめると共に、当該綜絖（５）の表たて糸ヘルド（６ａ）に挿通された表たて糸（１ａ）を前記長孔（１０）の中間位置で中立に保持して、上下二段の開口を形成し、所定の順序で形成された開口状態において、上部開口に表よこ糸（２ａ）を挿入することにより表たて糸（１ａ）と表よこ糸（２ａ）とにより表組織（３）を織成する工程と、下部開口に裏よこ糸（２ｂ）を挿入することにより裏たて糸（１ｂ）と裏よこ糸（２ｂ）とにより裏組織（４）を織成する工程とを所定の順序で行って一サイクルとし、当該サイクルを繰り返すことにより、表組織（３）と裏組織（４）とにより二重織物（Ａ）を形成することを特徴とする、二重織物の織成方法
【請求項２】
前記表よこ糸（２ａ）を挿入する表シャトル（８ａ）が、その挿入方向の先端が中心より高い位置で突出しており、中立位置のたて糸（１）を押し下げながら上部開口を通過し、前記裏よこ糸（２ｂ）を挿入する裏シャトル（８ｂ）が、その挿入方向の先端が中心より低い位置で突出しており、中立位置のたて糸（３）を押し上げながら下部開口を通過することを特徴とする、請求項１に記載の二重織物の織成方法
【請求項３】
前記複数の綜絖（５Ａ、５Ｂ）の一又は二以上のものに、中央にメール（１２）を形成した接結たて糸ヘルド（１１）を設けて、前記メール（１２）に接結たて糸（１３）を挿通し、その綜絖（５Ａ、５Ｂ）の上下動に伴って表よこ糸（２ａ）及び裏よこ糸（２ｂ）を接結たて糸（１３）に対して同一の位置に挿入することを特徴とする、請求項１に記載の接結二重織物の織成方法
【請求項４】
複数の芯たて糸を、前記ヘルド（６、１１）のいずれにも挿通することなく、綜絖（５Ａ、５Ｂ）の上下動に拘わらず常に中立位置に保持し、表よこ糸（２ａ）を常に前記芯たて糸の上に挿入し裏よこ糸（２ｂ）を常に前記芯たて糸の下に挿入することにより、表組織（３）と裏組織（４）との間に芯たて糸を配置することを特徴とする、請求項１に記載の芯入り二重織物の織成方法
【発明の詳細な説明】
【技術分野】
【０００１】
本発明は二重織物の織成方法に関するものであって、特に従来は二重織物を織成するためには、最低でも四枚の綜絖を必要としていたのを、二枚の綜絖で織ることができる方法に関するものである。
【背景技術】
【０００２】
従来二重織物を織成する場合には、最低でも四枚の綜絖を必要としていた。すなわち二重織物における表組織と裏組織とがそれぞれ平織り組織である場合においては、表組織と裏組織を織成するためにそれぞれ二枚ずつの綜絖が必要であり、且つその両者を兼ねることができないため、四枚の綜絖が必要となるのである。
【０００３】
図１は表組織裏組織共に平織り組織により織成された二重織物Ａの組織図であり、図２は当該二重織物Ａの平面図である。これらの図面において１ａは表たて糸、１ｂは裏たて糸であり、２ａは表よこ糸、２ｂは裏よこ糸であって、表たて糸１ａと表よこ糸２ａとを平織り組織で織成して表組織３が形成され、裏たて糸１ｂと裏よこ糸２ｂとを平織り組織で織成して裏組織４が形成されており、これら表組織３と裏組織４とで二重織物Ａが形成されている。
【０００４】
而して図３はこの二重織物Ａを織成する工程を示すものである。図３においては綜絖５は後方から５ａ〜５ｄの四枚設けられており、そのうち５ａ及び５ｃは表組織３を織成する表綜絖であり、５ｂ及び５ｄは裏組織４を織成する裏綜絖である。そしてその各綜絖５には複数のヘルド６が取り付けられており、各ヘルド６にはその中央にたて糸１を挿通するメール７が形成されている。
【０００５】
そして先ず図３（ａ）においては、表綜絖５ａ、５ｃはいずれも上動しており、裏綜絖５ｄは上動し５ｂは下動していて、裏たて糸１ｂが開口し、そこにシャトル８が通過して裏よこ糸２ｂが挿入される。
【０００６】
次に図３（ｂ）において、裏綜絖５ｂ、５ｄをいずれも下動せしめ、表綜絖５ａを下動せしめると共に５ｃを上動せしめ、これにより表たて糸１ａを開口させてそこにシャトル８を通過させ、表よこ糸２ａを挿入して表組織３を織成する。
【０００７】
さらに図３（ｃ）において、表綜絖５ａ、５ｃはいずれも上動せしめ、裏綜絖５ｂは上動して５ｄは下動せしめ、これにより裏たて糸１ｂが開口してそこにシャトル８が通過し、裏よこ糸２ｂが挿入されて裏組織４が織成される。
【０００８】
次に図３（ｄ）において、裏綜絖５ｂ、５ｄをいずれも下動せしめ、表綜絖５ａを上動せしめると共に５ｃを下動せしめ、これにより表たて糸１ａを開口させてそこにシャトル８を通過させ、表よこ糸２ａを挿入して表組織３を織成する。
【０００９】
以下これらの工程を繰り返すことにより、表組織３及び裏組織４を織成し、二重織物Ａを織成するのである。そしてこの方法により二重織物Ａを織成するためには、表綜絖５ａが二枚、裏綜絖５ｂが二枚必要であり、四枚の綜絖５を必要とする。
【００１０】
また表組織と裏組織とが綾織り組織や朱子織組織である場合には、綾織り組織は三枚以上の綜絖を必要とし、朱子織組織は五枚以上の綜絖が必要であるので、かかる組織で二重織物を形成するためには、その表裏の組織の種類に応じて、その二倍の枚数の綜絖が必要となる。
【非特許文献１】文部省著作教科書、実教出版株式会社発行、「高等学校用織物組織改訂版」（昭和４３年３月２５日初版発行、昭和４４年２月２５日発行）ｐ７２〜７５、色刷り４−１３図〜４−１９図
【発明の開示】
【発明が解決しようとする課題】
【００１１】
本発明はかかる事情に鑑みなされたものであって、より少ない綜絖により二重織織物を織成する方法を提供するものであって、表裏の組織を織成するに必要な枚数の綜絖により、二重織物を織成する方法を提供することを目的とするものである。
【課題を解決するための手段】
【００１２】
而して本発明は、複数の綜絖にそれぞれ、上半部に長孔を穿設した表たて糸ヘルドと、下半部に長孔を穿設した裏たて糸ヘルドとを設け、表たて糸ヘルドの長孔に表たて糸を裏たて糸ヘルドの長孔に裏たて糸をそれぞれ挿通し、当該複数の綜絖を所定の順序で上下動せしめることにより、上動した綜絖の表たて糸ヘルドがそれに挿通された表たて糸を上動せしめると共に、当該綜絖の裏たて糸ヘルドに挿通された裏たて糸を前記長孔の中間位置で中立に保持し、下動した綜絖の裏たて糸ヘルドがそれに挿通された裏たて糸を下動せしめると共に、当該綜絖の表たて糸ヘルドに挿通された表たて糸を前記長孔の中間位置で中立に保持して、上下二段の開口を形成し、所定の順序で形成された開口状態において、上部開口に表よこ糸を挿入することにより表たて糸と表よこ糸とにより表組織を織成する工程と、下部開口に裏よこ糸を挿入することにより裏たて糸と裏よこ糸とにより裏組織を織成する工程とを所定の順序で行って一サイクルとし、当該サイクルを繰り返すことにより、表たて糸と表よこ糸とで表組織を織成し、裏たて糸と裏よこ糸とで裏組織を織成することを特徴とするものである。
【００１３】
本発明においては、前記表よこ糸を挿入する表シャトルが、その挿入方向の先端が中心より高い位置で突出しており、中立位置のたて糸を押し下げながら上部開口を通過し、前記裏よこ糸を挿入する裏シャトルが、その挿入方向の先端が中心より低い位置で突出しており、中立位置のたて糸を押し上げながら下部開口を通過するにより、上下の開口を選択してよこ糸を挿入ことができる。
【００１４】
また本発明においては、前記二枚の綜絖の一方又は両方に中央にメールを形成した接結たて糸ヘルドを設けて、前記メールに接結たて糸を挿通し、その綜絖の上下動に伴って表よこ糸及び裏よこ糸を接結たて糸に対して同一の位置に挿入するにより、中央たて糸接結二重織物を織成することができる。
【００１５】
また本発明においては、複数の芯たて糸を、前記ヘルドのいずれにも挿通することなく、綜絖の上下動に拘わらず常に中立位置に保持し、表よこ糸を常に前記芯たて糸の上に挿入し裏よこ糸を常に前記芯たて糸の下に挿入することにより、表組織と裏組織との間に芯たて糸を配置することにより、芯入り二重織物を織成することができる。
【発明の効果】
【００１６】
本発明によれば、従来の二重織物を織成する場合に比べて、綜絖の枚数を半分に減らすことができ、織機の構造が簡単になると共に、開口運動が簡単になる。また従来は中央たて糸接結二重織物を織成する場合には、別に接結たて糸用の綜絖を追加する必要があったが、本発明によれば接結たて糸用の綜絖を追加することなく、中央たて糸接結二重織物を織成することができる。
【発明を実施するための最良の形態】
【００１７】
図４は本発明における綜絖５を示すものである。この綜絖５は表組織３及び裏組織４がいずれも平織り組織で織成される場合におけるものであって、二枚の綜絖５Ａ、５Ｂよりなっている。
【００１８】
そして各綜絖５Ａ、５Ｂはそれぞれ、綜絖枠９に表たて糸ヘルド６ａ及び裏たて糸ヘルド６ｂが設けられており、表たて糸ヘルド６ａは上半部に長孔１０が穿設されており、裏たて糸ヘルド６ｂには下半部に長孔１０が穿設されている。
【００１９】
そしてこれらのヘルド６の長孔１０には、表たて糸ヘルド６ａに表たて糸１ａが、裏たて糸ヘルド６ｂに裏たて糸１ｂがそれぞれ挿通されており、たて糸１の中立状態においては、表たて糸１ａは表たて糸ヘルド６ａの長孔１０の下端に位置し、たて糸１ｂはヘルド６ｂの長孔１０の上端に位置している。
【００２０】
而してこの綜絖５を使用して二重織物Ａを織成する工程を図５に示す。先ず図５（ａ）においては、二枚の綜絖５Ａ、５Ｂのうちの第一の綜絖５Ａは上動しており、第二の綜絖５Ｂは下動した状態にある。
【００２１】
この状態においては、第一の綜絖５Ａに設けられた表たて糸ヘルド６ａは、それに挿通された表たて糸１ａを上動せしめており、裏たて糸ヘルド６ｂに挿通された裏たて糸１ｂは、裏たて糸ヘルド６ｂの下半部が長孔１０であるため上動せしめられることはなく、長孔１０の中間位置で中立状態に保持される。
【００２２】
また第二の綜絖５Ｂが下動することにより、それに設けられた裏たて糸ヘルド６ｂはそれに挿通された裏たて糸１ｂを下動せしめ、表たて糸ヘルド６ａの上半部が長孔１０であるためそれに挿通された表たて糸１ａが下動せしめられることはなく、長孔１０の中間位置で中立状態に保持される。
【００２３】
これによりたて糸１群は、表たて糸１ａの一部が上動し、裏たて糸１ｂの一部が下動し、他のたて糸１は中立位置に保持されることとなり、上動したたて糸と中立位置のたて糸と及び、中立位置と下動したたて糸との、上下二段に開口した状態となる。
【００２４】
この状態で、上段の開口に表シャトル８ａを通し、表よこ糸２ａを挿入する。表シャトル８ａは図５（ａ）に示されるように、略紡錘形をなしており、その前後両端はその中央より高い位置で両方向に突出している。そのためその表シャトル８ａを図中左方から右方に向かって打ち込むと、その先端が上段の開口に入り、当該先端より下方の湾曲部が中立位置のたて糸１を下方に押し下げつつ進行する。
【００２５】
このとき中立位置のたて糸１はヘルド６の長孔１０の中央位置にあるため、表シャトル８ａに押し下げられて容易に下動し、上段の開口が拡がって表シャトル８ａは容易に通過することができ、上段の開口に表よこ糸２ａが挿入されるのである。
【００２６】
この状態においては、第一の綜絖５Ａの表たて糸ヘルド６ａに挿通された表たて糸１ａは上動しており、第二の綜絖５Ｂの表たて糸ヘルド６ａに挿通された表たて糸１ａは中立位置にあり、裏たて糸１ｂは全て中立位置又は下動位置にあるので、表よこ糸２ａは表たて糸１ａにのみ織成されることとなる。
【００２７】
次に図５（ｂ）に示すように、第一の綜絖５Ａを下動させると共に第二の綜絖５Ｂを上動させると、表たて糸１ａは上動位置と中立位置とのたて糸が入れ替わり、また裏たて糸１ｂは中立位置と下動位置のたて糸が入れ替わる。この状態で表シャトル８ａを右方から左方に通すと、先と異なった位置で表たて糸１ａが織り込まれる。
【００２８】
次に図５（ｃ）に示すように、第一の綜絖５Ａを上動させると共に第二の綜絖５Ｂを下動させ、再度図５（ａ）と同様の綜絖配置とし、この状態で裏シャトル８ｂを左方から右方に向かって通す。
【００２９】
裏シャトル８ｂは図５（ｃ）に示すように、略紡錘形をなしており、その前後両端が中心より低い位置で両方向に突出している。そのためその裏シャトル８ｂを図中左方から右方に向かって打ち込むと、その先端が下段の開口に入り、当該先端より上方の湾曲部が中立位置のたて糸１を上方に押し上げつつ進行する。
【００３０】
このとき先に図５（ａ）について述べたと同様に、中立位置のたて糸１はヘルド６の長孔１０の中央位置にあるため、裏シャトル８ｂに押し下げられて容易に上動し、下段の開口が拡がって裏シャトル８ｂは容易に通過することができ、下段の開口に裏よこ糸２ｂが挿入されるのである。
【００３１】
この状態においては、第二の綜絖５Ｂの裏たて糸ヘルド６ｂに挿通された裏たて糸１ｂは下動しており、第一の綜絖５Ａの裏たて糸ヘルド６ｂに挿通された裏たて糸１ｂは中立位置にあり、また表たて糸１ａは全て中立位置又は上動位置にあるので、裏よこ糸２ｂは裏たて糸１ｂにのみ織成されることとなる。
【００３２】
次いで図５（ｄ）に示すように綜絖５Ａ、５Ｂの上下を入れ換え、再度裏シャトル８ｂを右方から左方に通すことにより、図５（ｃ）とは異なった位置で裏たて糸１ｂに裏よこ糸２ｂが織り込まれる。
【００３３】
これらの工程を通して表組織３及び裏組織４を織成する一サイクルが完了し、さらにこれらのサイクルを繰り返すことにより、表組織３及び裏組織４よりなる二重織物Ａが織成されるのである。
【００３４】
図５においては、図５（ａ）と図５（ｃ）とは綜絖の開口状態は同一であり、また図５（ｂ）と図５（ｄ）も綜絖は同一の状態に開口している。そしてこれらの開口状態においてたて糸１は上下二段に開口しており、そのいずれによこ糸２を挿入するかは、シャトル８の形状に基づいて決定されるのである。
【００３５】
従って従来二重織物Ａを織成する場合には、よこ糸２の挿入位置によって開口状態を変えなければならず、最低でも四枚の綜絖を必要としていたのであるが、本発明によれば同一の開口状態でもシャトル８により異なる位置によこ糸２を挿入することができ、二枚の綜絖で二重織物Ａを織成することができるのである。
【００３６】
図６は本発明の他の例を示すものであって、縦口袋織を織成する方法を示すものである。この図６において、シャトル８は略紡錘形をなしており、図面における右端は中央より高い位置で右方に突出しており、左端は中央より低い位置で左方に突出しており、打ち込み方向により異なる開口を通るようになっている。
【００３７】
而して図６（ａ）においては、第一の綜絖５Ａは上動し第二の綜絖５Ｂは下動しており、第一の綜絖５の表たて糸ヘルド６ａに挿通された表たて糸１ａは上動位置にあり、裏たて糸ヘルド６ｂに挿通された裏たて糸１ｂは中立位置にある。また第二の綜絖５Ｂの表たて糸ヘルド６ａに挿通された表たて糸１ａは中立位置にあり、ヘルド６ｂに挿通された裏たて糸１ｂは下動位置にある。
【００３８】
この状態でシャトル８が左方から右方に向かって打ち込まれると、先に述べたようにシャトル８は表シャトルとして上段の開口を通過し、よこ糸は上動位置と中立位置にある表たて糸１ａの間を通って表よこ糸２ａとして挿入される。
【００３９】
然る後図６（ｂ）に示すように、綜絖５Ａ、５Ｂの上下動は同一の状態のままで、シャトル８を右方から左方に向かって打ち込むと、当該シャトル８は裏シャトルとして下段の開口を通過し、よこ糸は中立位置と下動位置とにある裏たて糸１ｂの間を通って挿入され、裏よこ糸２ｂとして織り込まれる。
【００４０】
次に図６（ｃ）に示すように第一の綜絖５Ａを下動させ第二の綜絖５Ｂを上動させてその位置を入れ換え、シャトル８を表シャトルとして左方から右方に向かって打ち込むことにより、先とは異なる位置で表よこ糸２ａが織り込まれ、さらに図６（ｄ）に示すようにその綜絖位置のままでシャトル８を裏シャトルとして右方から左方に向かって打ち込むことにより、先とは異なる位置で裏よこ糸２ｂが織り込まれる。
【００４１】
以下これらの工程を繰り返すことにより、表組織３と裏組織４とが交互に織成されると共に、それら左右両端においてよこ糸２が連続しており、筒状の縦口袋織物が織成されるのである。
【００４２】
図７〜図９は本発明の他の例を示すものであって、たて糸中央接結二重織物を織成する方法を示すものである。図７は綜絖５Ａ、５Ｂを示すものであり、図８は当該方法の工程を示すものであり、図９は織成されたたて糸中央接結二重織物の組織図である。
【００４３】
この例においては、図４及び図５と同様の第一の綜絖５Ａ及び第二の綜絖５Ｂに、それぞれ所定間隔ごとに接結たて糸ヘルド１１が設けられている。当該接結たて糸ヘルド１１は中央にメール１２が形成された一般的なヘルドであり、当該メール１２には接結たて糸１３が挿通されている。
【００４４】
而してこのたて糸中央接結二重織物を織成する工程は、図５に示したのと全く同様であるが、接結たて糸ヘルド１１は中央に接結たて糸１３を挿通したメール１２が形成されているので、第一の綜絖５Ａの上下動に伴って接結たて糸１３は上下に開口し、中立位置を採ることはない。
【００４５】
従って表シャトル８ａ又は裏シャトル８ｂが二段の開口のいずれを通過する場合においても、上動した綜絖５のヘルド６に挿通された接結たて糸１３と、下動した綜絖５のｈ６に挿通された接結たて糸１３との間を常に通ることとなり、接結たて糸１３は表よこ糸２ａの上方と裏よこ糸２ｂの下方との間を縫うように配置されることとなり、当該接結たて糸１３により表組織３と裏組織４とが接結されるのである。
【００４６】
一般にたて糸中央接結二重織物を織成する場合には、表組織３を織成するためのヘルド６と裏組織４を織成するためのヘルド６の他に、さらに接結たて糸１３を開口させるための綜絖５が必要であるが、本発明によれば二枚の綜絖５に接結たて糸ヘルド１１を設けるだけで接結することができ、接結たて糸１３を操作するための綜絖５もその綜絖５の操作も必要としない。
【００４７】
また本発明においては、複数の芯たて糸を前記ヘルド６、１１のいずれにも挿通することなく配置することにより、綜絖５の数を増すことなく芯入り二重織物を織成することができる。
【００４８】
すなわち、前記芯たて糸はいずれのヘルド６、１１にも挿通されていないので、綜絖５Ａ、５Ｂの上下動に拘わらず常に中立位置に保持される。従って上部開口に挿入される表よこ糸２ａは常に前記芯たて糸の上に挿入され、下部開口に挿入される裏よこ糸２ｂは常に前記芯たて糸の下に挿入されることとなる。
【００４９】
従って表組織３は常に芯たて糸の上部で織成され、裏組織４は常に芯たて糸の下部で織成されることとなり、芯たて糸は表組織３と裏組織４との間に配置されて芯入り二重織物が織成されるのである。またこれを接結たて糸１３で接結する場合においても、表組織３と裏組織４との間に芯たて糸が挟持された状態で、接結たて糸１３が表組織３と裏組織４とを接結することとなる。
【００５０】
一般に芯入り二重織物を織成する場合には、表組織３を織成するための綜絖５と裏組織４を織成するための綜絖５の他に、さらに芯たて糸を開口させるための綜絖５が必要であるが、本発明によれば芯たて糸をいずれのヘルドにも挿通することなく中立位置に保持するだけで芯たて糸を挿入することができ、芯たて糸を操作するための綜絖もその綜絖の操作も必要としない。
【００５１】
なお以上の説明においては、表組織３及び裏組織４がいずれも平織り組織により織成されている場合について述べたが、綾織り組織や朱子織組織、その他の組織を採用する場合においても、それぞれの組織に応じて綜絖５の枚数は増加するが、二重織物であることによりさらに増加することなく、本発明を適用することができる。
【００５２】
また以上の説明では二重織物Ａ全体が二重であるものについて述べているが、綜絖５の幅方向の一部において通常のメールを有する通常のヘルド６を設けることにより、当該ヘルド６は綜絖５の上下動に伴ってたて糸１を開口させるので、部分的に一重の織物とすることも可能である。
【００５３】
また以上の説明では、通常の平織機で扁平な二重織物を織成する場合について述べたが、環状織機により内外二重の筒状織物を織成する場合においても、本発明をそのまま適用することが可能である。
【図面の簡単な説明】
【００５４】
【図１】平織り二重織物の組織図
【図２】平織り二重織物の平面図
【図３】従来の平織り二重織物を織成する工程を示す図面
【図４】本発明における綜絖の正面図
【図５】本発明により二重織物を織成する工程の一例を示す図面
【図６】本発明により二重織物を織成する工程の他の例を示す図面
【図７】本発明によりたて糸中央接結二重織物を織成する場合の綜絖の正面図
【図８】本発明によりたて糸中央接結二重織物を織成する工程を示す図面
【図９】本発明により織成したよりたて糸中央接結二重織物の組織図
【符号の説明】
【００５５】
Ａ  二重織物
１  たて糸
１ａ  表たて糸
１ｂ  裏たて糸
２  よこ糸
２ａ  表よこ糸
２ｂ  裏よこ糸
３  表組織
４  裏組織
５  綜絖
５Ａ  第一の綜絖
５Ｂ  第二の綜絖
６  ヘルド
６ａ  表たて糸ヘルド
６ｂ  裏たて糸ヘルド
８  シャトル
８ａ  表シャトル
８ｂ  裏シャトル
１０  長孔
１１  接結たて糸ヘルド
１２  メール
１３  接結たて糸
【図１】
0004869190.tif 000002
【図２】
0004869190.tif 000003
【図３】
0004869190.tif 000004
【図４】
0004869190.tif 000005
【図５】
0004869190.tif 000006
【図６】
0004869190.tif 000007
【図７】
0004869190.tif 000008
【図８】
0004869190.tif 000009
【図９】
0004869190.tif 000010